(57)【要約】【課題】それぞれの発言内容が誰の発言であったのかを簡単に認識できる議事録作成装置を提供する。【解決手段】マイク３で収集された録音内容に基づき、音声認識部４は、会議出席者の音声を認識し、認識した音声からＣＰＵ２は議事録データを作成する。話者特定部５は、声紋認証により、各発言内容の発言者を特定する。作成した議事録データにおける発言内容と特定された発言者との対応付けがなされた議事録データを、表示部８に表示する。発言者の発言内容を、各発言者毎に色分けして表示する。各発言内容の前には、発言者情報を付加する。【選択図】図１
2007233075.tif 000002
【特許請求の範囲】
【請求項１】
会議の議事録を作成する装置において、音声認識を用いて議事録データを作成する作成手段と、発言者を特定する特定手段と、前記作成手段が作成した議事録データにおける発言内容と前記特定手段が特定した発言者とを対応付けて記憶する手段とを備えることを特徴とする議事録作成装置。
【請求項２】
発言者に応じて異なる形態で発言内容が表示されるように議事録データを出力する出力手段を備えることを特徴とする請求項１記載の議事録作成装置。
【請求項３】
発言者に関する発言者情報を記憶する手段を備え、前記出力手段は、前記発言者情報を付加して議事録データを出力するように構成したことを特徴とする請求項２記載の議事録作成装置。
【請求項４】
前記特定手段で特定した発言者に基づき、会議の出席者を登録する手段を備えることを特徴とする請求項１乃至３の何れかに記載の議事録作成装置。
【請求項５】
所定のキーワードを記憶する手段と、発言内容における前記キーワードの存在を検知する検知手段とを備えており、前記出力手段は、前記検知手段が前記キーワードの存在を検知した場合に、前記キーワードを含む発言内容、及び／または、前記キーワードを含む発言内容の前後の発言内容に強調処理を施して議事録データを出力するように構成したことを特徴とする請求項２乃至３の何れかに記載の議事録作成装置。
【発明の詳細な説明】
【技術分野】
【０００１】
本発明は、音声認識機能を利用して会議の議事録を自動的に作成する議事録作成装置に関する。
【背景技術】
【０００２】
会議中の発言者の音声を録音し、録音した音声から音声認識機能を利用して発言内容を認識し、認識した発言内容を文字情報に変換して、表示装置に表示したり、用紙に印字したりする議事録作成装置が提案されている（特許文献１，２など）。
【０００３】
特許文献１には、発言者の音声レベルに応じて文字、記号の大きさを変えて発言内容を出力する議事録作成装置が開示されている。また、特許文献２には、発言したときの発言者の感情を判別し、発言内容に加えて発言者の感情を記録した議事録を生成する会議支援システムが開示されている。
【特許文献１】特開２００２−２２２１８６号公報
【特許文献２】特開２００５−２７７４６２号公報
【発明の開示】
【発明が解決しようとする課題】
【０００４】
特許文献１，２を含めて従来の議事録作成装置では、発言内容は記録されているが、それぞれの発言内容について、出席者の中の誰の発言であるかが特定されていないので、会議に出席していない人が、その議事録を見ても、誰の発言であるのかが分からず、不便であるという問題がある。
【０００５】
本発明は斯かる事情に鑑みてなされたものであり、発言者を特定して議事録を作成することにより、誰の発言であったのかを第三者でも認識できる議事録作成装置を提供することを目的とする。
【０００６】
本発明の他の目的は、発言者に応じて表示形態を変えることにより、誰の発言であったのかが容易に分かる議事録作成装置を提供することにある。
【０００７】
本発明の更に他の目的は、キーワードを含む発言内容、またはその前後の発言内容を強調して議事録を作成することにより、会議の重要事項を容易に確認できる議事録作成装置を提供することにある。
【課題を解決するための手段】
【０００８】
本発明に係る議事録作成装置は、会議の議事録を作成する装置において、音声認識を用いて議事録データを作成する作成手段と、発言者を特定する特定手段と、前記作成手段が作成した議事録データにおける発言内容と前記特定手段が特定した発言者とを対応付けて記憶する手段とを備えることを特徴とする。
【０００９】
本発明の議事録作成装置にあっては、会議の録音結果から音声認識を用いて作成した議事録データと、各発言内容毎に特定した発言者とを対応付けて記憶する。よって、作成された議事録では、それぞれの発言内容に関して発言者が特定されているので、会議の出席者は勿論、会議に出席しなかった第三者でも、それぞれの発言内容の発言者が分かる。
【００１０】
本発明に係る議事録作成装置は、発言者に応じて異なる形態で発言内容が表示されるように議事録データを出力する出力手段を備えることを特徴とする。
【００１１】
本発明の議事録作成装置にあっては、発言者に応じて異なる形態（例えば、異なる色、異なる文字の大きさなど）で発言内容を表示する。よって、特定の発言者による発言内容が分かり易い。
【００１２】
本発明に係る議事録作成装置は、発言者に関する発言者情報を記憶する手段を備え、前記出力手段は、前記発言者情報を付加して議事録データを出力するように構成したことを特徴とする。
【００１３】
本発明の議事録作成装置にあっては、発言者を特定する発言者情報（氏名、役職、ニックネーム、写真など）を付加して議事録データを出力する。よって、誰の発言であったかが簡単に認識できる。
【００１４】
本発明に係る議事録作成装置は、前記特定手段で特定した発言者に基づき、会議の出席者を登録する手段を備えることを特徴とする。
【００１５】
本発明の議事録作成装置にあっては、発言者の特定結果に基づいて、会議の出席者を登録する。よって、誰が会議に出席したかを自動的に登録できる。
【００１６】
本発明に係る議事録作成装置は、所定のキーワードを記憶する手段と、発言内容における前記キーワードの存在を検知する検知手段とを備えており、前記出力手段は、前記検知手段が前記キーワードの存在を検知した場合に、前記キーワードを含む発言内容、及び／または、前記キーワードを含む発言内容の前後の発言内容に強調処理を施して議事録データを出力するように構成したことを特徴とする。
【００１７】
本発明の議事録作成装置にあっては、所定のキーワード（「決定事項」、「結論」など）を含む発言内容、キーワードを含まない、キーワードの直前の発言内容、及び／またはキーワードを含まない、キーワードの直後の発言内容に強調処理を施して出力する。よって、会議の重要事項が分かり易くなる。
【発明の効果】
【００１８】
本発明では、音声認識を用いて議事録データを作成し、各発言内容の発言者を特定し、作成した議事録データにおける発言内容と特定した発言者とを対応付けて記憶するようにしたので、作成された議事録では、それぞれの発言内容に関して発言者が特定されているため、会議の出席者は勿論、会議に出席しなかった第三者でも、それぞれの発言内容の発言者を知ることができる。また、各出席者毎の発言内容を、簡単に検索することが可能である。
【００１９】
また、本発明では、発言者に応じて異なる形態で発言内容が表示されるように議事録データを出力するようにしたので、特定の発言者による発言内容を簡単に識別することができる。
【００２０】
また、本発明では、発言者に関する発言者情報を付加して議事録データを出力するようにしたので、誰の発言であったかを簡単に認識することができる。
【００２１】
また、本発明では、特定した発言者に基づいて会議の出席者を登録するようにしたので、会議の出席者を自動的に登録することができる。
【００２２】
また、本発明では、キーワードを含む発言内容、及び／または、キーワードを含む発言内容の前後の発言内容に強調処理を施して議事録データを出力するようにしたので、会議における重要事項を間単に見つけることができる。
【発明を実施するための最良の形態】
【００２３】
以下、本発明をその実施の形態を示す図面を参照して具体的に説明する。なお、本発明は、以下の実施の形態に限定されるものではない。
【００２４】
図１は、本発明に係る議事録作成装置の一例の構成を示す図である。図１に示す議事録作成装置１は、ＣＰＵ２と、マイク３と、音声認識部４と、話者特定部５と、声紋データ蓄積部６と、入力操作部７と、表示部８と、印刷部９と、ＲＯＭ１０と、ＲＡＭ１１とを備えている。
【００２５】
マイク３は、会議の場における音を集めて録音する。音声認識部４は、マイク３での集音結果に基づき、会議出席者の音声を認識する。ＣＰＵ２は、音声認識部４で認識された音声から議事録データを作成する。一方、話者特定部５は、音声認識部４で認識された音声の声紋データと、声紋データ蓄積部６に予め蓄積されている会議出席者の声紋データとを比較対照して、各発言内容の発言者を特定する。ＣＰＵ２は、作成した議事録データにおける発言内容と話者特定部５で特定された発言者との対応付けを行い、その対応付けされた議事録データをＲＡＭ１１に記憶する。
【００２６】
入力操作部７は、ユーザの操作入力を受け付けるものであり、作成された議事録の内容の削除、修正、追加などの議事録に対するユーザの編集処理を受け付ける。表示部８は、例えば液晶表示装置であり、発言内容と発言者とを対応付けて議事録データを表示する。印刷部９は、例えば電子写真方式のプリンタ装置であり、発言内容と発言者とを対応付けて議事録データを用紙に印刷する。
【００２７】
ＲＯＭ１０は、議事録作成装置１の動作に必要な種々のソフトウェアの制御プログラムを格納する。ＲＡＭ１１は、ソフトウェアの実行時に発生する一時的なデータを記憶する。ＲＡＭ１１は、上述したように発言内容と発言者とが対応付けされた議事録データを記憶すると共に、発言者毎の発言者情報（名前、役職、ニックネーム、写真など）、及び、所定のキーワード（「決定事項」、「結論」など）を記憶している。
【００２８】
以上のような構成において、ＣＰＵ１は、音声認識を用いて議事録データを作成する作成手段として機能する。また、ＣＰＵ１は、発言内容におけるキーワードの存在を検知する検知手段、及び、会議の出席者を登録する手段としても機能する。話者特定部５は、発言者を特定する特定手段として機能する。表示部８及び印刷部９は、議事録データを出力する出力手段として機能する。ＲＡＭ１１は、発言内容と発言者とを対応付けて議事録データを記憶する手段、発言者情報を記憶する手段、及び、所定のキーワードを記憶する手段として機能する。
【００２９】
次に、本発明の議事録作成装置１の動作について説明する。以下では、議事録データが表示部８にカラー表示される場合を例として説明する。
【００３０】
マイク３で収集された録音内容に基づき、音声認識部４にて、会議出席者の音声が認識され、認識された音声から議事録データがＣＰＵ２で作成される。一方、認識された音声は話者特定部５へ出力され、話者特定部５では、認識された会議出席者の音声の声紋データと、声紋データ蓄積部６に蓄積されている会議出席者の声紋データとを比較対照して、各発言内容の発言者が特定される。
【００３１】
ＣＰＵ２にて、作成した議事録データにおける発言内容と特定された発言者との対応付けが行われて、その対応付けされた議事録データは一旦ＲＡＭ１１に記憶される。そして、ＲＡＭ１１に記憶されている議事録データが表示部８に表示される。図２は、表示部８における議事録データの表示の一例を示す図である。
【００３２】
図２において、各発言内容と発言者とが対応付けされた議事録が表示されている。この際、発言者の発言内容が、各発言者毎に色分けして表示される。例えば、出席者Ａさんの発言内容は赤色、出席者Ｂさんの発言内容は青色、出席者Ｃさんの発言内容は緑色で表示されている。よって、特定の参加者の発言内容が簡単に見つけられる。
【００３３】
また、各発言内容の前には、発言者情報である名前（Ａ，Ｂ，Ｃ）、役職（課長）が付加されている。よって、誰の発言であるかを一目で認識することが可能である。なお、発言者情報としては、名前、役職以外に、発言者のニックネーム、写真（画像）などを用いても良い。
【００３４】
本発明では、発言者を特定できるので、その特定情報から会議の出席者が分かる。そこで、分かった出席者の名前を議事録に登録している。よって、会議の出席者の登録を自動的に行える。
【００３５】
また、予め設定しておいた「決定事項」というキーワードを含む発言内容は、下線が引かれて表示されている。具体的に図２の表示例では、課長のＣさんの発言内容に「決定事項」という用語が含まれており、その発言内容に下線が引かれている。よって、会議での決定項目を強調して表示するので、会議の重要事項が分かり易くなる。なお、下線を引くことによって強調するようにしたが、他の発言内容より大きな文字で表示して強調する、特別な記号を付して強調する、特殊な字体で表示して強調するなどとしても良い。また、キーワードを含む発言内容の前後の発言内容も重要と考えられるため、その前後の発言内容を強調して表示しても良い。即ち、キーワードを含まない、キーワードの直前の発言内容、及び／またはキーワードを含まない、キーワードの直後の発言内容を強調して表示しても良い。このようなキーワードの設定は、会議前に行っても良いし、会議終了後に行っても良い。
【００３６】
図３は、本発明に係る議事録作成装置の他の例の構成を示す図である。この例では、前述した例（図１）と発言者を特定する手法が異なっている。この議事録作成装置２１は、複数のマイク３ａ，３ｂ，…，３ｎを備えている。なお、図３において、図１と同一または同様な部分には同じ番号を付してそれらの説明を省略する。
【００３７】
この例では、会議出席者の前に一個ずつのマイクが設置されている。音声認識部４は、複数のマイク３ａ，３ｂ，…，３ｎでの集音結果に基づき、会議出席者の音声を認識する。各マイク毎の認識された音声は、話者特定部５へ出力される。
【００３８】
話者特定部５は、各マイク毎の音声から各発言内容の発言者を特定する。ある音声（発言内容）における入力レベルと位相（時間遅延）とを各マイク間で比較して、入力レベルが高くて位相（時間遅延）が小さいマイクを選定し、その選定したマイクに対応する出席者を発言者として特定する。
【００３９】
他の動作（発言内容と発言者との対応付け、対応付けされた議事録データの表示など）は、前述した例と同じであるので、その説明は省略する。
【００４０】
なお、議事録データを表示部８に表示して出力する場合について説明したが、議事録データを印刷部９にて用紙に印刷して出力する場合においても、同様に行えることは勿論である。また、上述した実施の形態では、各発言者に応じた発言内容を色分けにて識別するようにしたが、発言者に応じた異なる出力形態として、色以外に、字の大きさ、字体などを利用できる。また、議事録作成装置１に、音声レベル（声の大きさ）に応じて文字形態を変える機能、判別した発言者の感情に応じて発言内容の出力形態を変更する機能を更に付加しておくようにしても良い。
【００４１】
ところで、複数の音声（発言）が混在する場合がある。この場合の対応について説明する。複数の音声が同時に入力された場合に、この混在音声から複数の発言内容を分離できて発言者を特定できたときには、同時発声されたことを示すマークを付して上述したような通常の出力（発言内容と発言者とを対応付けした議事録データの出力）を行い、複数の発言内容を分離できないときには、同時発声されたことを示すマークを付した上で「内容解読不能」を出力（表示または印刷）するようにすれば良い。そして、このような「内容解読不能」部分については、入力操作部７を介して、修正することが可能である。
【図面の簡単な説明】
【００４２】
【図１】本発明に係る議事録作成装置の一例の構成を示す図である。
【図２】表示部における議事録データの表示の一例を示す図である。
【図３】本発明に係る議事録作成装置の他の例の構成を示す図である。
【符号の説明】
【００４３】
１，２１  議事録作成装置
２  ＣＰＵ
３，３ａ，３ｂ，…，３ｎ  マイク
４  音声認識部
５  話者特定部
６  声紋データ蓄積部
７  入力操作部
８  表示部
９  印刷部
１０  ＲＯＭ
１１  ＲＡＭ
【図１】
2007233075.tif 000003
【図２】
2007233075.tif 000004
【図３】
2007233075.tif 000005